(57)【要約】      （修正有）【課題】携帯可能であり、手軽に持ち運べる携帯型ホワイトボードを提供する。【解決手段】折り畳み自在な板材３にボード本体２が嵌め込まれて形成されている。ボード本体２は一般的なホワイトボードに用いられるボード、すなわち芯材である合板の表面に樹脂を被覆して筆記面を形成した。板材３として、皮革や弾性を有する樹脂など柔軟素材を利用することで、折り畳み自在にしてあり、折畳んだ際に対向する位置に、一対のボード本体２，２が嵌めこんである。ボード本体２の嵌め込み方法は、板材３に方形にわたる係止辺３ａを設け、当該係止辺３ａに係止される形状でボード本体２を嵌めこんである。この係止辺３ａは、ホワイトボードを折畳んだ際に、係止辺３ａ同士が当接する形状に設ける。【選択図】図２
0003182847.tif 000002
【実用新案登録請求の範囲】
【請求項１】
折り畳み自在な板材にボード本体を一対嵌め込んだホワイトボードであって、折畳んだ際に、ボード本体（２）を係止する係止辺（３ａ）同士が当接することで、ボード本体（２）同士が接しないように構成したホワイトボード。
【請求項２】
ボード本体（２）の一方又は双方の上面に、ボード本体（２）と接しない状態で隔離板（４）を嵌め込み可能とした請求項１記載のホワイトボード。
【請求項３】
ボード本体（２）の一方又は双方の上面に、シート材（５）をボード本体（２）と接しない状態で、被せることを可能とした請求項１に記載のホワイトボード。
【考案の詳細な説明】
【技術分野】
【０００１】
本考案は板書や掲示板として使用されるホワイトボードに関し、より詳しくは携帯可能なホワイトボードに関する。
【背景技術】
【０００２】
筒状に丸めて携帯することが可能な白板が、特許文献１に記載されている。
【０００３】
文字等を記入するための表示部を、ポリプロピレンフィルム層で形成し、巻き取りローラで移動可能とすることで小型化した携帯型白板が、特許文献２に記載されている。
【先行技術文献】
【特許文献】
【０００４】
【特許文献１】登録実用新案公報第３０５４１６２号
【特許文献２】特開平１０−２５０２８５公報
【考案の概要】
【考案が解決しようとする課題】
【０００５】
鉄板・合板・合成樹脂板等の表面を白色に仕上げた後、その上に、透明ポリプロピレンのフィルム層を形成したホワイトボードは、いわゆるホワイトボードマーカーと呼ばれる特殊のフェルトペンによる文字等の記入と、起毛布を表面とする黒板拭きによる消去が自在にできるため、従来の黒板に代わるものとして、広く用いられている。
【０００６】
しかし、従来のホワイトボードはベース材料として使用するものが鉄板等の板材であるため、小さく折り畳めないという難点を有する。したがって、壁面等に掛けた状態、又はキャスタ付き架台等に取り付けた状態で使用するときはよいとしても、手軽に携帯して、これを持ち歩き、随所で使用するような用途には不向きであった。
【０００７】
そこで本考案は、携帯可能であり、手軽に持ち運べる携帯型ホワイトボードを提供することを目的とする。
【課題を解決するための手段】
【０００８】
上記の目的を達成する本考案の構成は次の通りである。
【０００９】
（１）  請求項１に記載の考案は、折り畳み自在な板材にボード本体を一対嵌め込んだホワイトボードにおいて、折畳んだ際に、ボード本体を係止する係止辺同士が当接することで、ボード本体同士が接しないように構成した。
【００１０】
（２）  請求項２に記載の考案は、請求項１記載のホワイトボードにおいて、ボード本体の一方又は双方の上面に、ボード本体と接しない状態で隔離板を嵌め込み可能に構成した。
【００１１】
（３）  請求項３に記載の考案は、請求項１記載のホワイトボードにおいて、ボード本体の一方又は双方の上面に、シート材をボード本体と接しない状態で被せることを可能に構成した。
【考案の効果】
【００１２】
上記のように構成される本考案が、如何に作用して課題を解決する効果を奏するかを、図面参照しながら概説する。
【００１３】
図３、図４及び図７に示すように、本考案に係るホワイトボード１はその中央部を折り曲げることで、畳むことが可能に構成してある。すなわち、コンパクトで携帯可能な形態にすることができ、一人でも簡単に持ち運びできる等、その取扱性が格段に向上する。しかも使用時には、すばやく展開してフラットで筆記可能な台板を再現できるように構成しているので、使い勝手に優れたものとなる。
【００１４】
しかも、図９に示すようにボード本体２の上面に隔離板４を、ボード本体と接しない状態で嵌めこむことが可能であり、あるいは図１０に示すように、シート材５をボード本体と接しない状態で被せることが可能であり、一方のボード本体２の筆記面に書かれた文字等が他方のボード本体２の筆記面等に移ることを可及的に防ぐことが可能となる。すなわち、予めボード本体２に文字等を書き込んで携帯可能となり、作業性の向上が図れるものである。
【図面の簡単な説明】
【００１５】
【図１】請求項１記載の考案の正面図
【図２】同、Ａ−Ａ線断面図
【図３】同、斜視図
【図４】同、折畳んだ状態の断面図
【図５】他の実施例にかかる請求項１記載の考案の正面図
【図６】同、Ｂ−Ｂ線断面図
【図７】同、斜視図
【図８】請求項２記載の考案の正面図
【図９】同、Ｃ−Ｃ線断面図
【図１０】請求項３記載の考案の斜視図
【考案を実施するための形態】
【００１６】
一、  以下、好ましい考案の一実施形態につき、図面を参照しながら概説する。なお、本考案の実施の形態は、下記の実施形態に何ら限定されることはなく、本考案の技術的範囲に属する限り種々の形態を採りうる。  
【００１７】
二、  各請求項に係る本考案は、いずれも、折り畳み自在な板材３にボード本体２が嵌め込まれて形成されている。
【００１８】
ボード本体２は一般的なホワイトボードに用いられるボード、すなわち芯材である合板の表面に樹脂を被覆して筆記面を形成したものや、板紙や段ボールの一面に樹脂をコーティングしたりフィルムを貼着して筆記層を形成したものなどを利用できる。
【００１９】
ボード本体としては白色以外、使用するホワイトボード欄のペンのインクの色が見易い色であれば、青，赤，黒等何色でもよい。また板の厚さも厚板，薄板等、特に限るものではない
三、  図１乃至図４は、請求項１記載の考案の一実施形態を示すものである。
【００２０】
板材３として、皮革や弾性を有する樹脂など柔軟素材を利用することで、折り畳み自在にしてあり、折畳んだ際に対向する位置に、一対のボード本体２，２が嵌めこんである。
【００２１】
ボード本体２の嵌め込み方法は、板材３に方形にわたる係止辺３ａを設け、当該係止辺３ａに係止される形状でボード本体２を嵌めこんである。この係止辺３ａは、図４に示すように、ホワイトボード１を折畳んだ際に、係止辺３ａ同士が当接する形状に設けてある。
【００２２】
四、  図５乃至図７は請求項１記載の考案の他の実施形態を示すものである。
【００２３】
板材３として、一対の木板や樹脂板を用いており、ヒンジを備える連結金具６により折り畳み自在に形成してある。係止辺３ａの形状等は上記と同様である。
【００２４】
五、  図８及び図９は、請求項２記載の考案を示すものである。
【００２５】
板材３に設けた係止辺３ａに、方形にわたる段部３ｂを設け、当該段部３ｂに隔離板４を嵌め込み可能に形成してある。なお、段部３ｂは図中、一方のボード本体２を嵌めこむ係止辺３ａ側にのみ設けられているが、双方に設けても構わない。
【００２６】
隔離板４は、木板や樹脂板などを利用可能である。
【００２７】
六、  図１０は請求項３記載の考案を示すものである。ボード本体２の一方又は双方の上面に、シート材５をボード本体２と接しない状態で被せることを可能に構成してある。すなわち、板材３の上面に取付手段７を用いて、シート材５を着脱自在に、あるいは固着して、取付けるものである。取付手段７は対をなす雄型スナップ・雌型スナップ等で着脱自在に構成しても良いし、面状ファスナでも代用可能である。あるいはピンなどで固定してもよい。
【００２８】
シート材７は樹脂シートや、布体を利用可能である。シート材７の大きさは、ボード本体２の外部に現れている面をほぼ全て覆う程度が好ましい。
【符号の説明】
【００２９】
１・・ホワイトボード
２・・ボード本体
３・・板材
３ａ・・係止辺
３ｂ・・段部
４・・隔離板
５・・シート材
６・・連結金具
７・・取付手段
【図１】
0003182847.tif 000003
【図２】
0003182847.tif 000004
【図３】
0003182847.tif 000005
【図４】
0003182847.tif 000006
【図５】
0003182847.tif 000007
【図６】
0003182847.tif 000008
【図７】
0003182847.tif 000009
【図８】
0003182847.tif 000010
【図９】
0003182847.tif 000011
【図１０】
0003182847.tif 000012